(57)【要約】【課題】  アイアンクラブ又はウッドクラブによるインパクト時のフェースアングルが正しい状態であるか否かを容易に判断することができ、製造が容易で耐久性にも優れたゴルフショット練習用具およびその製造方法を提供すること。【解決手段】  ゴルフボールの直径とほぼ等しい直径を有する円形端面１ａと、４０ｍｍ〜６０ｍｍの長さと、２〜５ｇの重さとを有する中実の円柱体１、又は、ゴルフボールの直径とほぼ等しい直径を有する円形と近似する大きさを有する多角形端面と、４０ｍｍ〜６０ｍｍの長さと、２〜５ｇの重さと、５以上の側面を有する中実の正多角柱体若しくはそれらと近似する多角柱体であって、全体がスポンジ状の発泡樹脂製であることを特徴とするゴルフショット練習用具１０，２０およびその製造方法である。【選択図】図１
2015047340.tif 000002
【特許請求の範囲】
【請求項１】
ゴルフボールの直径とほぼ等しい直径を有する円形端面と、４０ｍｍ〜６０ｍｍの長さと、２〜５ｇの重さとを有する中実の円柱体、又は、
ゴルフボールの直径とほぼ等しい直径を有する円形と近似する大きさを有する多角形端面と、４０ｍｍ〜６０ｍｍの長さと、２〜５ｇの重さと、５以上の側面を有する中実の正多角柱体若しくはそれらと近似する多角柱体であって、全体がスポンジ状の発泡樹脂製であることを特徴とするゴルフショット練習用具。
【請求項２】
前記円柱体又は多角柱体の円形端面又は多角形端面は、側面と異なる色を有していることを特徴とする請求項１に記載のゴルフショット練習用具。
【請求項３】
前記円柱体又は多角柱体の側面は、そのほぼ中央部に周回状のセンター表示を有していることを特徴とする請求項１又は２に記載のゴルフショット練習用具。
【請求項４】
色の異なる発泡樹脂材料を積層して貼り合わせた後に型抜き又は裁断することによって製造されていることを特徴とする請求項２又は３に記載のゴルフショット練習用具。
【請求項５】
前記円柱体又は多角柱体は、発泡ＥＶＡ製又は発泡ＰＥ製であることを特徴とする請求項１〜４の何れか一項に記載のゴルフショット練習用具。
【請求項６】
７番アイアンのヘッドスピードが３８ｍ／秒で、フェースアングルが５度クローズ又は５度オープンの状態で打った場合に、３ｍ先の鉛直平面に当たる位置のバラツキが、高さ方向で２００ｃｍ〜７５ｃｍ、左右方向で５０ｃｍ〜３０ｃｍの範囲内となることを特徴とする請求項１〜５の何れか一項に記載のゴルフショット練習用具。
【請求項７】
色の異なる発泡樹脂材料を積層して貼り合わせた後に型抜き又は裁断することにより、
ゴルフボールの直径とほぼ等しい直径を有する円形端面と、４０ｍｍ〜６０ｍｍの長さと、２〜５ｇの重さとを有する中実の円柱体、又は、ゴルフボールの直径とほぼ等しい直径を有する円形と近似する大きさを有する多角形端面と、４０ｍｍ〜６０ｍｍの長さと、２〜５ｇの重さと、５以上の側面を有する中実の正多角柱体若しくはそれらと近似する多角柱体を製造するゴルフショット練習用具の製造方法であって、
前記円柱体又は多角柱体の円形端面又は多角形端面が側面と異なる色を有し、かつ、前記円柱体又は多角柱体の側面は、そのほぼ中央部に周回状のセンター表示を有していることを特徴とするゴルフショット練習用具の製造方法。
【発明の詳細な説明】
【技術分野】
【０００１】
本発明は、アイアンクラブ又はウッドクラブによるショットを想定したゴルフショット練習用具に関するものであって、ゴルフクラブをスイングした際に、クラブヘッドのフェース面が正しい方向に向いているか否かを確認するためのゴルフショット練習用具およびその製造方法に関するものである。
【背景技術】
【０００２】
従来、ゴルフクラブをスイングした際に、クラブヘッドのフェース面が正しい方向に向いているか否か、即ち、フェースアングルが正しいか否かを確認するためのゴルフ練習用具として、球状のボールに代えてゴルフクラブで打つことができる円柱状又は円筒状に形成したゴルフ練習用具が提案されている（特許文献１〜特許文献４）。
【０００３】
ゴルフ練習用具の形状を円柱状又は円筒状とする理由は、ゴルフクラブによるインパクト時におけるフェースアングルの狂いを強調した方向にゴルフ練習用具が打ち出されるため、フェースアングルの狂いを確認し易いからである。
ところが、パターによるパッティングの際のクラブヘッドの速度と、アイアンクラブ又はウッドクラブによるショットの際のクラブヘッドの速度には著しい違いがあり、それらのスイング練習を１つのゴルフ練習用具で兼用することは、スイングに合わせた練習用具として適当ではない。
【０００４】
特許文献１には発泡樹脂からなるゴルフ練習用具が例示的に提案されてはいるが、具体的にどの程度の重さであるのか、ショットによってどの程度の飛距離が出るものなのか、練習者がフェース面の狂いをどの程度確認できるようになっているのか、といった点が明らかではなく、発明・考案の目的を達成するための技術的な構成としての具体性に欠き、単なる基本的なアイデアにすぎないという問題がある。
【０００５】
特許文献２においても、ゴルフ練習用具の素材が超軽量な発泡樹脂又は弾性材料から構成されることを開示しているが、具体的な重さ、飛距離などが明らかではなく、練習者がフェースアングルの狂いをどの程度確認できるものであるのかという点で発明・考案の構成としての具体性に欠けるものとなっている。
さらに、特許文献２〜特許文献４に記載のゴルフ練習用具は、筒状であり、ショットの際の衝撃で生じる変形が大きく、ショットされた後の挙動が乱れ、飛ぶ方向が不安定であるばかりか、フェースアングルの狂いを強調して確認できるというものではないという問題がある。
【０００６】
さらに、特許文献３に記載のゴルフ練習用具は、ゴム製でゴルフボールと等しい重さであり、５０ヤード程度の飛距離が出ることが想定されており、屋内や庭先での使用には適していない。
また、特許文献３に記載のゴルフ練習用具がショットされて飛ぶ際の速度もかなり速いものと考えられるため、フェース面の状態を反映していると考えられるショットされた直後の様子を確認することは、特に狭い場所で使用する場合に、困難である。
【０００７】
特許文献４に記載のゴルフ練習用具は、ゴム製で５ｍ程度の飛距離が出ることが想定されているが、円筒形であるため、インパクト時に全体の形状がつぶれてしまい、フェースアングルの狂いを確認し難いという問題がある。
【０００８】
上記から、特許文献２〜４に記載のゴルフ練習用具は、軽量でかつ耐久性を得るために円筒状としたことで、インパクト時におけるフェースアングルの狂いを強調した方向にゴルフ練習用具を打ち出してフェースアングルの狂いを確認し易くするという効果を得ることができないものとなってしまっているという問題がある。
【０００９】
特許文献５に記載のゴルフ練習用具は、両端を半球状にしたほぼ楕円状のボールであり、かなりの飛距離が出ることが想定されているようであり、屋内や庭先での使用には適しておらず、また、打ち出される速度も速く、半球状の打面を打つことが想定されていることから、インパクト時におけるフェースアングルの狂いを強調してフェースアングルの狂いを確認し易くするという効果を得ることができるようなものではない。
【００１０】
特許文献６に記載のゴルフ練習用具は、断面を小判形又は瓢箪形の球形としたパット練習用のボールであり、アイアンクラブ又はウッドクラブによるショットを想定したものではない。
【先行技術文献】
【特許文献】
【００１１】
【特許文献１】実開昭５５−５１２５９号公報
【特許文献２】実開昭６２−３９７６６号公報
【特許文献３】特公昭２７−５３２３号公報
【特許文献４】実用新案登録第３０８２４３５号公報
【特許文献５】実開昭５２−１７１３５６号公報
【特許文献６】実開平３−１０１９８３号公報
【発明の概要】
【発明が解決しようとする課題】
【００１２】
本発明が解決しようとする課題は、以下の１）〜４）に記載された事項である。
１）従来の円柱状又は円筒状に形成したゴルフ練習用具においては、アイアンクラブ又はウッドクラブによるショットを想定した場合に、クラブヘッドのフェース面が正しい方向に向いているか否かを容易に確認することができる具体的な構成が明らかでないこと。
２）従来の円筒状のゴルフ練習用具においては、ショットされた後の挙動が不安定であり、かつ、インパクト時に全体の形状がつぶれてしまうため、フェースアングルの狂いを強調できず、フェース面の狂いを確認し難いこと。
３）従来の円柱状又は円筒状に形成したゴルフ練習用具は、その強度又は耐久性を得ようとすると重くなり、かなりの飛距離が出るため屋内や庭先での使用に適していないものとなったり、ショットされた後に飛ぶ速度が速く、特に狭い場所で使用する場合に、フェースアングルの狂いを確認し難いこと。
４）ショット後のゴルフ練習用具の状態を視認し易いゴルフ練習用具およびその製造方法が提案されていないこと。
【００１３】
そこで、本発明の目的は、上記の課題を解決し、軽量でかつ耐久性にも優れ、ショットされた後の速度が比較的遅く打ち出された方向を確認し易く、かつ、ショットされた後の挙動も安定しており、インパクト時におけるフェースアングルの狂いを強調した方向に打ち出されることでフェースアングルの狂いを確認し易いゴルフショット練習用具およびその製造方法を提供することにある。
【００１４】
さらに、本発明の他の目的は、打ち出す方向のセッティングが容易であり、クラブフェースがスクエアな状態でのアドレスの確認も容易であり、ショットされた後の視認性にも優れたゴルフショット練習用具およびその製造方法を提供することにある。
なお、本発明のゴルフショット練習用具は、アイアンクラブ又はウッドクラブによるショットを想定した軽量なものであり、パターによるパッティングによっては転がりが弱く不安定なものとなる。従って、本発明は、パターによるパッティングの練習に適したゴルフ練習用具を提供することを目的とするものではない。
【課題を解決するための手段】
【００１５】
本発明は、「ゴルフボールの直径とほぼ等しい直径を有する円形端面と、４０ｍｍ〜６０ｍｍの長さと、２〜５ｇの重さとを有する中実の円柱体、又は、ゴルフボールの直径とほぼ等しい直径を有する円形と近似する大きさを有する多角形端面と、４０ｍｍ〜６０ｍｍの長さと、２〜５ｇの重さと、５以上の側面を有する中実の正多角柱体若しくはそれらと近似する多角柱体であって、全体がスポンジ状の発泡樹脂製であることを特徴とするゴルフショット練習用具。」を最も主要な特徴とするものである。
【００１６】
前記円柱体又は多角柱体の円形端面又は多角形端面は、側面と異なる色を有しているものであってもよい。
前記円柱体又は多角柱体の側面は、そのほぼ中央部に周回状のセンター表示を有しているものであってもよい。
【００１７】
前記ゴルフショット練習用具は、好ましくは、色の異なる発泡樹脂材料を積層して貼り合わせた後に型抜き又は裁断することによって製造されているものである。
前記円柱体又は多角柱体は、発泡ＥＶＡ製又は発泡ＰＥ製であってもよい。
【００１８】
前記ゴルフショット練習用具は、好ましくは、７番アイアンのヘッドスピードが３８ｍ／秒で、フェースアングルが５度クローズ又は５度オープンの状態で打った場合に、３ｍ先の鉛直平面に当たる位置のバラツキが、高さ方向で２００ｃｍ〜７５ｃｍ、左右方向で５０ｃｍ〜３０ｃｍの範囲内となるものである。
【００１９】
さらに、本発明は、色の異なる発泡樹脂材料を積層して貼り合わせた後に型抜き又は裁断することにより、ゴルフボールの直径とほぼ等しい直径を有する円形端面と、４０ｍｍ〜６０ｍｍの長さと、２〜５ｇの重さとを有する中実の円柱体、又は、ゴルフボールの直径とほぼ等しい直径を有する円形と近似する大きさを有する多角形端面と、４０ｍｍ〜６０ｍｍの長さと、２〜５ｇの重さと、５以上の側面を有する中実の正多角柱体若しくはそれらと近似する多角柱体を製造するゴルフショット練習用具の製造方法であって、前記円柱体又は多角柱体の円形端面又は多角形端面が側面と異なる色を有し、かつ、前記円柱体又は多角柱体の側面は、そのほぼ中央部に周回状のセンター表示を有していることを特徴とするゴルフショット練習用具の製造方法である。
【発明の効果】
【００２０】
上記のように構成した本発明のゴルフショット練習用具においては、ゴルフボールの大きさとほぼ等しいため、ショットする際の違和感が少なく、実際のゴルフボールを用いてスイング練習をする場合に近い状態でスイング練習をすることができる。
そして、本発明のゴルフショット練習用具は、ゴルフクラブにてショットされる面がクラブフェースと合わせ易い直線状であり、かつ、ショットされた際に打ち出されて飛ぶ方向がクラブフェースの向きの狂いを強調する方向となるため、特にアイアンクラブ又はウッドクラブによるショットを想定したゴルフスイングの練習において、フェースアングルの狂いを簡単かつ正確に知ることができる。
【００２１】
また、本発明のゴルフショット練習用具は、中実のスポンジ状の発泡樹脂材料から構成されているため、ゴルフクラブで打たれた際の変形が少なくかつ復元が早く、ショットされた後の挙動も安定しており、インパクト時におけるフェースアングルの狂いを確認し易いものとすることができる。
さらに、本発明のゴルフショット練習用具は、適度に軽量の発泡樹脂材料から構成されているため、ゴルフクラブで打たれた際の速度が遅く飛距離が短く、使用場所として広い場所を必要とせず、ネットを設置する必要も無いことから、屋外および屋内にて手軽にゴルフクラブのスイング練習を行うことができる。
【００２２】
本発明のゴルフショット練習用具において、前記円柱体又は多角柱体の円形端面又は多角形端面の色を、前記円柱体又は多角柱体の側面と異なる色とすることで、ショットされた後のゴルフショット練習用具の飛ぶ方向及びその傾き具合を視認し易いものとすることができる。
【００２３】
また、本発明のゴルフショット練習用具において、前記円柱体又は多角柱体の側面のほぼ中央部に周回状のセンター表示を設けることで、ゴルフショット練習用具を打ち出す方向をセットし易く、かつ、アドレスの際にゴルフショット練習用具の側面とクラブフェースとを平行に合わせ易いものとすることができる。
【００２４】
本発明のゴルフショット練習用具は、色の異なる発泡樹脂材料を積層して貼り合わせた後に型抜き又は裁断することによって簡単に製造することができ、かつ、塗装が剥がれることもないため、耐久性に優れたものとすることができる。
本発明のゴルフショット練習用具の前記円柱体又は多角柱体は、発泡ＥＶＡ製又は発泡ＰＥ製とすることで、適度な重さ、強度、硬さ、復元性、耐久性などを備えたものとすることができる。
【００２５】
本発明のゴルフショット練習用具は、７番アイアンのヘッドスピードが３８ｍ／秒で、フェースアングルが５度クローズ又は５度オープンの状態で打った場合に、３ｍ先の鉛直平面に当たる位置のバラツキが、高さ方向で２００ｃｍ〜７５ｃｍ、左右方向で５０ｃｍ〜３０ｃｍの範囲内となるものとすることで、ショットされた後のゴルフショット練習用具の飛ぶ方向及び傾き具合などを簡単にハッキリと判別することができる。
【００２６】
本発明のゴルフショット練習用具の製造方法においては、前記円形端面又は多角形端面が円柱体又は多角柱体の側面とは色の異なる発泡樹脂材料から構成され、かつ、側面に周回状のセンター表示を有し耐久性に優れたゴルフショット練習用具を簡単に製造することができる。
【図面の簡単な説明】
【００２７】
【図１】図１は本発明を具体化したゴルフショット練習用具を示し、（Ａ）は全体を示す斜視図、（Ｂ）は側面を示す図、（Ｃ）は端面を示す図である。
【図２】図２はゴルフショット練習用具に対してゴルフクラブのフェースをスクエアに構えた様子を示す平面図である。
【図３】図３は本発明を具体化したゴルフショット練習用具の使用状態をイメージした斜視図である。
【図４】図４は本発明を具体化した他の実施形態のゴルフショット練習用具を示し、（Ａ）は全体を示す斜視図、（Ｂ）は端面を示す図である。
【図５】図５は本発明を具体化した他の実施形態のゴルフショット練習用具の端面を示す図である。
【図６】図６は本発明を具体化したゴルフショット練習用具を製造する際の様子を示す斜視図である。
【図７】図７は本発明を具体化した実施例１のゴルフショット練習用具をゴルフクラブで打った際の試験結果を示す図である。
【図８】図８は本発明を具体化した実施例２のゴルフショット練習用具をゴルフクラブで打った際の試験結果を示す図である。
【図９】図９は本発明を具体化した実施例３のゴルフショット練習用具をゴルフクラブで打った際の試験結果を示す図である。
【図１０】図１０はゴルフショット練習用具の比較例をゴルフクラブで打った際の試験結果を示す図である。
【発明を実施するための形態】
【００２８】
本発明は、「ゴルフボールの直径とほぼ等しい直径を有する円形端面と、４０ｍｍ〜６０ｍｍの長さと、２〜５ｇの重さとを有する中実の円柱体、又は、ゴルフボールの直径とほぼ等しい直径を有する円形と近似する大きさを有する多角形端面と、４０ｍｍ〜６０ｍｍの長さと、２〜５ｇの重さと、５以上の側面を有する中実の正多角柱体若しくはそれらと近似する多角柱体であって、全体がスポンジ状の発泡樹脂製であることを特徴とするゴルフショット練習用具およびその製造方法」であって、以下において説明する実施形態などにより好適に具体化することができる。
【００２９】
以下、本発明のゴルフショット練習用具の一実施形態について説明する。
図１（Ａ）及び図１（Ｂ）に示すように、本発明の一実施形態のゴルフショット練習用具１０は、ゴルフボールの直径（４２．６７ｍｍ）とほぼ等しい直径Ｄを有する円形端面１ａと、４０ｍｍ〜６０ｍｍの長さＬと、２〜５ｇの重さとを有する中実の円柱体１であって、全体が軽量なスポンジ状の発泡樹脂から構成されている。
【００３０】
前記ゴルフショット練習用具１０を構成する軽量なスポンジ状の発泡樹脂材料としては、例えば、発泡エチレン酢酸ビニル（ＥＶＡ）又は発泡ポリエチレン（ＰＥ）が重さ、弾力性、復元性、硬さ、強度、耐久性などの点で好ましい。
なお、一般的な発泡スチロールは、スポンジ状の発泡樹脂材料ではなく、ゴルフクラブにてショットされた後に変形したままとなり復元性が乏しく、飛び方が不安定となり飛ぶ方向の確認がし難くなるという不具合が生じる。
【００３１】
前記円柱体１の両端部を構成する円形端面１ａは、当該円形端面１ａと接して前記円柱体１の大部分を構成する側面１ｂとは異なる色を有しており、さらに、前記円柱体１の側面は、そのほぼ中央部に周回状のセンター表示１ｃを有している。
従って、このゴルフショット練習用具１０は、図２に示すように、センター表示１ｃを目標方向に合わせてからクラブフェースＦがスクエアとなる状態に合わせてゴルフショット練習用具１０に対してアドレスすることが容易である。
【００３２】
さらに、前記ゴルフショット練習用具１０は、ロフト角３０度の７番アイアンにて、ヘッドスピードが３８ｍ／秒で、フェースアングルが５度クローズ又は５度オープンの状態で打った場合に、３ｍ先の鉛直平面に当たる位置のバラツキが、高さ方向で２００ｃｍ〜７５ｃｍ、左右方向で５０ｃｍ〜３０ｃｍの範囲内となるものである。
【００３３】
このため、図３に示すように、ゴルフボールを打った場合の飛球方向Ｄ１，Ｄ２よりもフェースアングルの狂いを強調した方向、即ち、前記飛球方向Ｄ１，Ｄ２よりも外側の方向に前記ゴルフショット練習用具１０が打ち出されて飛ぶことになり、インパクト時におけるフェースアングルの狂いを認識し易くなっている。
【００３４】
図１（Ｃ）に示すように、本発明の他の実施形態のゴルフショット練習用具２０は、前記ゴルフショット練習用具１０と同様にゴルフボールの直径とほぼ等しい直径Ｄを有する円形端面２ａと、４０ｍｍ〜６０ｍｍの長さと、２〜５ｇの重さとを有する中実の円柱体２であって、全体が軽量なスポンジ状の発泡樹脂から構成されている。
【００３５】
さらに、このゴルフショット練習用具２０は、側面の一部２ｂが平面状に切り欠かれている。
従って、このゴルフショット練習用具２０は、平面状となっている側面の一部２ｂを下にすることで、床面、芝生、マット又は地面Ｇなどの上に安定して置くことができる。
【００３６】
図４（Ａ）及び図４（Ｂ）に示すように、本発明の他の実施形態のゴルフショット練習用具３０は、ゴルフボールの直径と等しい直径Ｄを有する円にほぼ内接する大きさの正多角形端面３ａ、正確には正８角形端面と、４０ｍｍ〜６０ｍｍの長さと、２〜５ｇの重さとを有する中実の多角柱体３、即ち、正８角柱体であって、全体が軽量なスポンジ状の発泡樹脂から構成されている。
【００３７】
前記多角柱体３の両端部を構成する正多角形端面３ａは、当該正多角形端面３ａと接して前記多角柱体３の大部分を構成する側面３ｂとは異なる色を有しており、さらに、前記多角柱体３の側面は、そのほぼ中央部に周回状のセンター表示３ｃを有している。
このゴルフショット練習用具３０は、８つの各側面が平面状であるため、床面、芝生、マット又は地面Ｇなどの上に安定して置くことができる。
【００３８】
図５（Ａ）に示す本発明の他の実施形態のゴルフショット練習用具４０は、ゴルフボールの直径と等しい直径Ｄを有する円にほぼ内接する大きさの正多角形端面４ａ、正確には正１２角形端面と、４０ｍｍ〜６０ｍｍの長さと、２〜５ｇの重さとを有する中実の多角柱体４、即ち、正１２角柱体であって、全体が軽量なスポンジ状の発泡樹脂から構成されている。
【００３９】
図５（Ｂ）に示す本発明の他の実施形態のゴルフショット練習用具５０は、ゴルフボールの直径と等しい直径Ｄを有する円にほぼ内接する大きさの正多角形端面５ａ、正確には正６角形端面と、４０ｍｍ〜６０ｍｍの長さと、２〜５ｇの重さとを有する中実の多角柱体５、即ち、正６角柱体であって、全体が軽量なスポンジ状の発泡樹脂から構成されている。
【００４０】
図５（Ｃ）に示す本発明の他の実施形態のゴルフショット練習用具６０は、ゴルフボールの直径と等しい直径Ｄを有する円より若干大きい円に内接する大きさの正多角形端面６ａ、正確には正５角形端面と、４０ｍｍ〜６０ｍｍの長さと、２〜５ｇの重さとを有する中実の多角柱体６、即ち、正５角柱体であって、全体が軽量なスポンジ状の発泡樹脂から構成されている。
【００４１】
図５（Ｄ）に示す本発明の他の実施形態のゴルフショット練習用具７０は、ゴルフボールの直径と等しい直径Ｄを有する円より若干大きい円に内接する大きさの正５角形のコーナー部を面取りした多角形端面７ａと、４０ｍｍ〜６０ｍｍの長さと、２〜５ｇの重さとを有する中実の多角柱体７であって、全体が軽量なスポンジ状の発泡樹脂から構成されている。
【００４２】
上記ゴルフショット練習用具３０〜７０は、平面状の側面を有しているため、床面、芝生、マット又は地面Ｇなどの上に安定して置くことができる。
【００４３】
次に、上記にて説明したゴルフショット練習用具１０〜７０を製造する好適な方法について説明する。
まず、厚さと色の異なる５枚の板状の軽量なスポンジ状の発泡樹脂材Ｓ１〜Ｓ５を用意する。
これらの発泡樹脂材Ｓ１〜Ｓ５は、順次上に積み重ねられるものであり、かつ、互いに接着剤にて貼り合わされるものである。
ここで、各発泡樹脂材Ｓ１〜Ｓ５の厚さ及び色の一例は、以下の通りである。
厚さ：  Ｓ１＝Ｓ５＜Ｓ３
Ｓ２＝Ｓ４
色：  Ｓ１、Ｓ３、Ｓ５  赤色
Ｓ２、Ｓ４        黄色
【００４４】
次に、前記発泡樹脂材Ｓ１〜Ｓ５を積層して互いに接着し、一体化した後に、各ゴルフショット練習用具１０〜７０の端面形状に合わせて型抜き又は裁断することにより、塗装工程を必要とせず、端面１ａ，２ａ，・・・７ａが着色されたりセンター表示１ｃ，３ｃを備えたゴルフショット練習用具１０〜７０を簡便に製造可能である。
さらに、塗料にて着色した場合に生じる塗装の剥がれや退色が生じることが無く、ゴルフショット練習用具１０〜７０の耐久性を優れたものとすることができる。
また、円柱体１，２又は多角柱体３〜７を簡単かつ確実に均質又はバランスの取れた構成とすることができ、ゴルフクラブにて打たれた後の安定した挙動を得ることができ、簡単に正しくスイングのチェックを行うことができる。
【００４５】
この場合、前記発泡樹脂材Ｓ１〜Ｓ５は同一の材料からなり、同一の硬さ及び重さを有するものであることが好ましいが、左右対称となるバランスを崩さなければ、異なる発泡樹脂材料を組み合わせることも可能である。
【００４６】
上記のとおり構成されたゴルフショット練習用具１０〜７０を使用する方法は、図２に示すようにゴルフショット練習用具１０〜７０の両端面１ａ，２ａなど及びセンター表示１ｃ，３ｃを目標方向に向け、ゴルフショット練習用具１０〜７０の側面と平行になるようにクラブフェースＦをセットして構え、目標方向にゴルフショット練習用具１０〜７０を打ち出せばよい。
そして、ゴルフショット練習用具１０〜７０の発泡樹脂の重さ（密度）、大きさ、形状を上記にて説明したとおりの構成としたことで、二度打ちを防止できるということも確認された。
【実施例１】
【００４７】
次に、本発明のゴルフショット練習用具１０と同一形状の実施例１について説明する。
この実施例１は、全体が発泡ＥＶＡ樹脂から構成されており、円形端面１ａの直径が４３ｍｍ、円柱体１の軸心方向の長さＬが４３ｍｍ、重さが２．５ｇである。
この実施例１のゴルフショット練習用具１０を、ショットマシンにて、フェースアングルをスクエアと、５度オープンと、５度クローズの場合とで打ち比べ、３ｍ先の暗幕に当たった箇所を記録し、飛球方向角度を測定して記録した。
その測定結果を図７に示す。
使用クラブは７番アイアン、ロフト角３０度、ヘッドスピード３８ｍ／ｓである。
【００４８】
上記の測定結果から、この実施例１のゴルフショット練習用具１０は、３ｍ先の鉛直平面に当たる位置のバラツキが、高さ方向で１７５ｃｍ〜９０ｃｍ、左右方向で４５ｃｍ〜３０ｃｍの範囲内となることが確認された。
【実施例２】
【００４９】
次に、本発明のゴルフショット練習用具１０と同一形状の実施例２について説明する。
この実施例２は、全体が発泡ＥＶＡ樹脂から構成されており、円形端面１ａの直径が４３ｍｍ、円柱体１の軸心方向の長さＬが４３ｍｍ、重さが４ｇである。
この実施例２のゴルフショット練習用具１０を、ショットマシンにて、フェースアングルをスクエアと、５度オープンと、５度クローズの場合とで打ち比べ、３ｍ先の暗幕に当たった箇所を記録し、飛球方向角度を測定して記録した。
その測定結果を図８に示す。
使用クラブは７番アイアン、ロフト角３０度、ヘッドスピード３８ｍ／ｓである。
【００５０】
上記の測定結果から、この実施例２のゴルフショット練習用具１０は、３ｍ先の鉛直平面に当たる位置のバラツキが、高さ方向で１２５ｃｍ〜７５ｃｍ、左右方向で４０ｃｍ〜３０ｃｍの範囲内となることが確認された。
【実施例３】
【００５１】
次に、本発明のゴルフショット練習用具１０と同一形状の実施例３について説明する。
この実施例３は、全体が発泡ＥＶＡ樹脂から構成されており、円形端面１ａの直径が４３ｍｍ、円柱体１の軸心方向の長さＬが４３ｍｍ、重さが５ｇである。
この実施例２のゴルフショット練習用具１０を、ショットマシンにて、フェースアングルをスクエアと、５度オープンと、５度クローズの場合とで打ち比べ、３ｍ先の暗幕に当たった箇所を記録し、飛球方向角度を測定して記録した。
その測定結果を図９に示す。
使用クラブは７番アイアン、ロフト角３０度、ヘッドスピード３８ｍ／ｓである。
【００５２】
上記の測定結果から、この実施例３のゴルフショット練習用具１０は、３ｍ先の鉛直平面に当たる位置のバラツキが、高さ方向で１２５ｃｍ〜７５ｃｍ、左右方向で４０ｃｍ〜ほぼ３０ｃｍの範囲内となることが確認された。
【００５３】
（比較例）
次に、本発明のゴルフショット練習用具１０と同一形状の比較例について説明する。
この比較例は、全体が発泡ＥＶＡ樹脂から構成されており、円形端面１ａの直径が４３ｍｍ、円柱体１の軸心方向の長さＬが４３ｍｍ、重さが６ｇである。
即ち、本発明のゴルフショット練習用具１０〜７０よりも１ｇだけ重いゴルフショット練習用具である。
この比較例のゴルフショット練習用具１０を、ショットマシンにて、フェースアングルをスクエアと、５度オープンと、５度クローズの場合とで打ち比べ、３ｍ先の暗幕に当たった箇所を記録し、飛球方向角度を測定して記録した。
その測定結果を図１０に示す。
使用クラブは７番アイアン、ロフト角３０度、ヘッドスピード３８ｍ／ｓである。
【００５４】
上記の測定結果から、この比較例のゴルフショット練習用具は、３ｍ先の鉛直平面に当たる位置のバラツキが、高さ方向で１１０ｃｍ〜６０ｃｍ、左右方向で２０ｃｍ〜１０ｃｍ程度の範囲内となることが確認された。
【００５５】
従って、この比較例のゴルフショット練習用具は、フェースアングルの狂いを強調した方向に打ち出されることがなく、また、打ち出される高さが低く、かつ、打ち出される速度も速いため、インパクト時のフェースアングルの狂いをチェックし難いものであることが確認された。
【００５６】
なお、本明細書中において、「中実」とは、ゴルフクラブにて打たれた場合に全体の形状が大きく変形することがないように、かつ、打たれて飛んでいる際に空気抵抗によって不安定な挙動を起こすようなことがないように、全体形状が詰まっている状態を示し、本発明の趣旨を逸脱しない範囲でゴルフショット練習用具の中央部に直径１０ｍｍ以下程度の小さな貫通孔、又は、中空部が存在するものであってもよい。
【００５７】
本発明において、ゴルフボールの直径とほぼ等しい直径を有する円形と近似する大きさを有する多角形端面とは、ゴルフボールの直径とほぼ等しい直径を有する円形にほぼ内接する正多角形であることが望ましいが、ゴルフボールの直径とほぼ等しい直径を有する円形と近似する大きさでその円形にほぼ沿うような形状であれば、必ずしも正多角形でなくてもよい。
また、本発明において、多角柱体とは、５角形以上の多角柱を示し、外観上ほぼ円柱形となるような３０以上の多角柱であってもよい。
【００５８】
さらに、本発明の趣旨を逸脱しない範囲で、多角形と円形（円弧）とを組み合わせた端面形状を有する多角柱体からなるゴルフショット練習用具として実施したり、ゴルフショット練習用具の各部の材質、形状、寸法、角度などを適宜変更して実施してもよい。
例えば、ゴルフショット練習用具を一枚の発泡合成樹脂材料から型抜き又は裁断することによって製造し、円形端面１ａ又は多角形端面３ａなどの着色や、センター表示１ｃなどを塗装によって行うようにしてもよい。
また、図１（Ｂ）に示すように、円柱体又は多角柱体の側面にクラブフェースとスクエアに合わせ易くするために側面に沿ったライン１ｄを記載したものとしてもよい。
特に図１（Ｃ）のように側面の一部２ｂを平面状とした場合には、その反対側に１本記載するとよい。また、ライン１ｄを複数本記載する場合には、例えば、１８０度反対側の位置に計２本記載するとよい。
【産業上の利用可能性】
【００５９】
本発明は、製造が容易で、軽量かつ耐久性に優れ、アイアンクラブ又はウッドクラブによってショットされた後の状態を確認し易く、フェースアングルの狂いを容易に判断することができ、屋内や庭先といった狭い場所でもネットを用いることなく使用できるゴルフショット練習用具およびその製造方法として好適に利用可能である。
【符号の説明】
【００６０】
１０    ゴルフショット練習用具
１    円柱体
１ａ  円形端面
１ｂ  円柱体の大部分を構成する側面
１ｃ  センター表示
１ｄ  ライン
２０    ゴルフショット練習用具
２    円柱体
２ａ  円形端面
２ｂ  側面の一部
３０    ゴルフショット練習用具
３    多角柱体
３ａ  多角形端面
３ｂ  多角柱体の大部分を構成する側面
３ｃ  センター表示
４０    ゴルフショット練習用具
４    多角柱体
４ａ  多角形端面
５０    ゴルフショット練習用具
５    多角柱体
５ａ  多角形端面
６０    ゴルフショット練習用具
６    多角柱体
６ａ  多角形端面
７０    ゴルフショット練習用具
７    多角柱体
７ａ  多角形端面
Ｄ          直径
Ｄ１，Ｄ２  ゴルフボールの飛球方向
Ｇ          地面
Ｆ          クラブフェース
Ｌ          長さ
Ｓ１〜Ｓ５    発泡樹脂材
７Ｉ          ７番アイアン
ＰＷ          ピッチングウエッジ
【図１】
2015047340.tif 000003
【図２】
2015047340.tif 000004
【図３】
2015047340.tif 000005
【図４】
2015047340.tif 000006
【図５】
2015047340.tif 000007
【図６】
2015047340.tif 000008
【図７】
2015047340.tif 000009
【図８】
2015047340.tif 000010
【図９】
2015047340.tif 000011
【図１０】
2015047340.tif 000012